(57)【要約】【課題】反射板を設けて反射を制御し、壁や天井に蛍光灯や装飾品等があっても、音声ビームの焦点が狂わないようにしたスピーカシステム及びスピーカ装置を提供する。【解決手段】反射板４で反射した音声ビームが指向地点ｐである会議出席者ｈ１を含めた領域に向かうように指向方向が制御される。指向地点ｐは装置本体２の上面のライン延長線上に存在する。また、指向地点ｐに到達する音声ビームの幅寸法が、会議出席者ｈ１をカバーする幅寸法ｘになるように制御される。即ち、この音声ビームが反射板４で反射され、音声ビームが広がりをもって指向地点ｐに幅寸法ｘで到達するよう制御される。このような音声ビームの指向方向及びビーム幅を実現するため、遅延時間Ｄ１〜Ｄ８が実線矢印で示すような値に設定される。焦点Ｐ´は、反射板４の底面を中心線として音声ビームの焦点Ｐと線対称の位置にある。音声ビームは、焦点Ｐ´１点に集音するよう伝播する。【選択図】  図５
2007096390.tif 000002
【特許請求の範囲】
【請求項１】
スピーカユニットが複数配列されたスピーカアレイを有するスピーカ装置と、
前記スピーカ装置の放音側と対向する位置に設置され、該スピーカ装置の前記スピーカユニット列から放音された音声を反射する反射板と、を備え、
前記スピーカ装置は、前記反射板で反射した前記スピーカユニット列からの音声ビームが特定のリスナに向かうように、この音声ビームの焦点を合せる指向性制御手段を有するスピーカシステム。
【請求項２】
スピーカユニットが複数配列されたスピーカアレイを有するスピーカ装置と、
前記スピーカ装置の放音側と対向する位置に設置され、該スピーカ装置の前記スピーカユニット列から放音された音声を反射する反射板と、を備え、
前記反射板は、該反射板で反射した前記スピーカユニット列からの音声が特定のリスナに向かうように、前記スピーカ装置の前記スピーカアレイに対し傾斜設置されたスピーカシステム。
【請求項３】
前記反射板は、光を透過する透明材料から構成された請求項１又は請求項２に記載のスピーカシステム。
【請求項４】
スピーカユニットが複数配列されたスピーカアレイと、
前記スピーカアレイの放音側と対向する位置に設置され、該スピーカ装置の前記スピーカユニット列から放音された音声を反射する反射板と、
前記反射板を前記スピーカアレイに対し接離する方向に、且つ該反射板の端が弧を描くように、可動させる可動部と、を備えたスピーカ装置。
【発明の詳細な説明】
【技術分野】
【０００１】
この発明は、音声を放音するスピーカアレイを有するスピーカ装置と、該音声を反射する反射板と、を備えたスピーカシステム、および該反射板を備えたスピーカ装置であって、特に、特定のリスナを対象に音声を放音するものに関する。
【背景技術】
【０００２】
従来より、遠隔地に居る相手方と電話会議等を通じて会議を行うためのスピーカ装置（音声会議装置）は広く知られている。このような音声会議装置はスピーカ及びマイクロフォン（以下、「マイク」と記載する）を備えている。そして、この音声会議装置は、マイクで集音した会議出席者の話声を相手方の音声会議装置に対して送信する機能と、相手方の音声会議装置から受信した相手方の話声をスピーカから放音する機能を並列に備えている。
これらの機能により、遠隔地に居る相手方との間で通話を行い、会議出席者は遠隔地に居る相手方との間で音声会議を行うことができる。
【０００３】
ところで、特許文献１に記載されたようなオーディオ再生装置が提案されている。
このオーディオ再生装置は、スピーカユニットが複数配列されたスピーカアレイと、前記スピーカユニット列からの音声ビームが特定のリスナに向かうように、この音声ビームの焦点を合せる指向性制御手段と、を備える。該指向性制御手段は、該スピーカからの音声ビームが壁や天井に反射した後に特定のリスナに向かうよう、この音声ビームの焦点を合せている。
【特許文献１】特開２００５−６４７４６公報
【発明の開示】
【発明が解決しようとする課題】
【０００４】
この特許文献１が行っている方法、つまり音声ビームを壁や天井に反射させ、且つ音声ビームの指向性を制御する方法を上記従来の音声会議装置に利用すれば、特定のリスナに音声ビームを向けて、それ以外の不特定者に話声が漏れることを低減させることができそうである。
【０００５】
しかしながら、壁や天井には、音声ビームの反射を散乱させる蛍光灯や装飾品等がある。上記指向性手段は、壁や天井に反射した後に音声ビームが特定のリスナに向かうよう、音声ビームの焦点を合せているが、音声ビームは、この蛍光灯や装飾品等により散乱してしまい、焦点が狂ってしまう。
これでは、指向性制御を行ったにも係わらず、特定のリスナ以外の不特定者に話声が漏れてしまう。従って、不特定者（例えば他の職員）の仕事の妨げとなる。
【０００６】
本発明はこのような従来の課題を解決しようとするものであり、反射板を設けて反射を制御し、壁や天井に蛍光灯や装飾品等があっても、音声ビームの焦点が狂わないようにしたスピーカシステム及びスピーカ装置を提供することを目的とする。
【課題を解決するための手段】
【０００７】
本発明のスピーカシステムは、前記課題を解決するために以下の構成を備えている。
【０００８】
（１）スピーカユニットが複数配列されたスピーカアレイを有するスピーカ装置と、
前記スピーカ装置の放音側と対向する位置に設置され、該スピーカ装置の前記スピーカユニット列から放音された音声を反射する反射板と、を備え、
前記スピーカ装置は、前記反射板で反射した前記スピーカユニット列からの音声ビームが特定のリスナに向かうように、この音声ビームの焦点を合せる指向性制御手段を有する。
【０００９】
この構成において、スピーカ装置は、例えば音声会議装置である。
スピーカ装置の放音側が上方に位置するようにスピーカアレイが配設されている。これによって、スピーカアレイから反射板に向かって出力され、反射板で反射された音声ビームが下方に向かう。また、この下方に向かう音声ビームが会議出席者をカバーするビーム幅で、且つ会議出席者の領域に指向するように、遅延時間が設定されている。これによって、音声ビームは会議出席者が居る辺りの領域のみに伝播する。このため、会議出席者のみを対象として話声を出力することができるという効果を奏する。
また、会議出席者に水平方向の音声ビームが出力されると、この音声ビームの出力方向に居る人（例えば不特定者）に対する音漏れが生じやすい。本実施形態では、会議出席者に対して上方から下方に向かうように音声ビームが出力される。このため、会議出席者の周囲（例えば不特定者）に対するこのような音漏れを効果的に防止することができるという効果を奏する。
さらに、スピーカシステムは反射板を設けて反射を制御しているので、壁や天井に蛍光灯や装飾品等があっても、音声ビームの焦点が狂わないという効果を奏する。
【００１０】
（２）スピーカユニットが複数配列されたスピーカアレイを有するスピーカ装置と、
前記スピーカ装置の放音側と対向する位置に設置され、該スピーカ装置の前記スピーカユニット列から放音された音声を反射する反射板と、を備え、
前記反射板は、該反射板で反射した前記スピーカユニット列からの音声が特定のリスナに向かうように、前記スピーカ装置の前記スピーカアレイに対し傾斜設置された。
【００１１】
この構成では、スピーカアレイから反射板に向かって出力され、反射板で反射された音声ビームが会議出席者に向かう。これによって、音声ビームは会議出席者が居る辺りの領域のみに伝播する。このため、会議出席者のみを対象として話声を出力することができるという効果を奏する。また、傾斜させた反射板を使用するだけで、音声ビームの伝播方向を変えることができるという効果を奏する。
【００１２】
また、会議出席者に水平方向の音声ビームが出力されると、この音声ビームの出力方向に居る人（例えば不特定者）に対する音漏れが生じやすい。本実施形態では、会議出席者に対して上方から下方に向かうように音声ビームが出力される。このため、会議出席者の周囲（例えば不特定者）に対する音漏れを効果的に防止することができるという効果を奏する。
さらに、スピーカシステムは反射板を設けて反射を制御しているので、壁や天井に蛍光灯や装飾品等があっても、音声ビームの焦点が狂わないという効果を奏する。
【００１３】
また、前記スピーカ装置は、前記反射板で反射した前記スピーカユニット列からの音声ビームが特定のリスナに向かうように、この音声ビームの焦点を合せる指向性制御手段を有しても良い。つまり、この場合、スピーカシステムは、傾斜させた反射板とスピーカ装置の指向性制御手段との両者によって、指向性を制御する。
【００１４】
（３）前記反射板は、光を透過する透明材料から構成された。
【００１５】
この構成において、透明材料は、ガラスやプラスチックである。そのため、反射板は、天井に設置された蛍光灯などの光を遮ることなく、スピーカユニット列から放音された音声だけを反射する。
従って、スピーカシステムは、透明材料から構成される反射板を備えることにより、天井に設置された蛍光灯などの光を遮ることなく、スピーカユニット列から放音された音声だけを選択して反射することができるという効果を奏する。
また、本発明のスピーカ装置は、前記課題を解決するために以下の構成を備えている。
【００１６】
（４）スピーカユニットが複数配列されたスピーカアレイと、
前記スピーカアレイの放音側と対向する位置に設置され、該スピーカ装置の前記スピーカユニット列から放音された音声を反射する反射板と、
前記反射板を前記スピーカアレイに対し接離する方向に、且つ該反射板の端が弧を描くように、可動させる可動部と、を備える。
【００１７】
この構成では、内蔵する反射板を使用して音声ビームを反射させることにより、スピーカ装置は、単体で、上記（１）及び（２）のスピーカシステムと同様の効果を奏する。
【発明の効果】
【００１８】
この発明によれば、壁や天井に蛍光灯や装飾品等があっても、音声ビームの焦点が狂わないという効果を奏する。
【発明を実施するための最良の形態】
【００１９】
以下、本発明の第一の実施形態であるスピーカシステムについて説明する。
【００２０】
図１は、本発明の第一の実施形態であるスピーカシステムのシステム構成図である。スピーカシステム１００は、スピーカユニット（例えばＳＰ１）が複数配列されたスピーカアレイ２０を有する音声会議装置１と、該音声会議装置１の放音側と対向する位置に設置され、該音声会議装置１の前記スピーカユニット列（ＳＰ１〜ＳＰ８）から放音された音声を反射する反射板４と、を備える。
【００２１】
反射板４は、光を透過する透明材料から構成されている。該透明材料は、ガラスやプラスチックである。そのため、反射板４は、天井に設置された蛍光灯などの光を遮ることなく、スピーカユニット列（ＳＰ１〜ＳＰ８）から放音された音声だけを反射する。従って、スピーカシステム１００は、透明材料から構成される反射板４を備えることにより、天井に設置された蛍光灯などの光を遮ることなく、スピーカユニット列（ＳＰ１〜ＳＰ８）から放音された音声だけを選択して反射することができるという効果を奏する。
なお、反射板４は、透明材料から構成されていなくとも構わないが、この場合は、天井に設置された蛍光灯などの光を遮る形となり、部屋Ｒが暗くなる。このため、蛍光灯の位置を考慮する必要がある。
【００２２】
部屋Ｒは、音声会議専用の会議室等ではなく通常のオフィスルームである。部屋Ｒでは、会議机を挟んで向かい合うように２人の会議出席者ｈ１（特定のリスナ），ｈ２（不特定者）が着席している。そして、会議机の上には、会議出席者ｈ１，ｈ２の向かい合う方向にＸ−−Ｘ方向がくるように音声会議装置１が配置されている。反射板４は、地面と水平に、且つ部屋Ｒの天井と音声会議装置１との間に設置されている。
これによって、スピーカアレイ２０から音声ビームが部屋Ｒの反射板４に向かって出力され、反射板４で反射して下方に向かう。
【００２３】
ここで、音声ビームの指向性（指向方向及びビーム幅）は、スピーカアレイ２０がラインアレイであるため、その長手方向であるＸ−−Ｘ方向で制御することが可能である（後述参照）。本実施形態では、スピーカユニットＳＰ１〜ＳＰ８への音声信号の入力タイミングを制御することで、音声会議装置１は、反射板４で反射した音声ビームを会議出席者ｈ１に向かわせるように指向性を制御する。また、同様にして、反射板４で反射した音声ビームのビーム幅を会議出席者ｈ１をカバーできるだけの狭い寸法に制御する。すなわち、ここでは会議出席者ｈ１をカバーできるだけの領域に音声ビームの指向方向が設定される。これとともに音声ビームはこの領域をカバーできるビーム幅に設定される。
【００２４】
図２は、図１のスピーカシステムを構成する音声会議装置の装置本体の外観を示す斜視図である。音声会議装置１は、長尺の略直方体状である装置本体２と、この装置本体２に接続線３ａを介して接続されたマイク３と、を有する。装置本体２の上面には、上方に放音側が向くようにスピーカアレイ２０が設けられている。このスピーカアレイ２０は、長尺方向に亘ってライン状に上向きに配列された８個のスピーカユニットＳＰ（ＳＰ１〜ＳＰ８）から成る。このスピーカユニットＳＰ１〜ＳＰ８に同タイミングで音声信号を入力すると、スピーカアレイ２０から音声ビームが真上に指向するように出力される。そして、スピーカユニットＳＰ１〜ＳＰ８への音声信号の入力タイミングを制御することで、出力される音声ビームの指向性を装置本体２の長尺方向（図中のＸ−−Ｘ方向）で制御することが可能となる（詳しくは後述する）。
【００２５】
図３は、図１のスピーカシステムを構成する音声会議装置の構成を概略的に示すブロック図である。音声会議装置１は、相手方の音声会議装置１（以下、自機と区別して「音声会議装置１´」とする）と話声音声信号を送受信する機能を備える。これによって、音声会議装置１は、自機のユーザである会議出席者ｈ１と音声会議装置１´のユーザである相手方との間で音声会議を行わせる。
【００２６】
音声会議装置１は、スピーカユニットＳＰ１〜ＳＰ８の他に、入出力インタフェース２１と、Ｄ／Ａ（digital/analog）コンバータ２３と、遅延部２４と、アンプ２５と、コントロール部２６と、を備える。
【００２７】
入出力インタフェース２１は、接続端子２７に接続された通信ケーブル（不図示）等を介して、この通信ケーブルに接続された音声会議装置１´との間でデジタル音声信号の送受信を行う。
【００２８】
遅延部２４は、スピーカユニットＳＰ１〜ＳＰ８の個数分だけ（８個）設けられている。以下、それぞれの遅延部２４を区別する場合には、スピーカユニットＳＰ１〜ＳＰ８のうち対応するものと同様の数字を添え字として付す。例えば、スピーカユニットＳＰ１に対応する遅延部２４は、遅延部２４−１と記載する。
【００２９】
遅延部２４−１〜２４−８は、それぞれ入出力インタフェース２１から受信音声信号が入力される。遅延部２４−１〜２４−８には、それぞれ遅延時間Ｄ１〜Ｄ８が設定されている。遅延部２４−１〜２４−８は、入力された受信音声信号を遅延時間Ｄ１〜Ｄ８だけ遅延させ、対応するＤ／Ａコンバータ２３を介して、デジタル信号からアナログ信号に変換され、対応するアンプ２５に入力することで、音声ビームの焦点合わせを行う。すなわち、入力された受信音声信号に付与する遅延時間Ｄ１〜Ｄ８の値によって、遅延部２４−１〜２４−８は音声ビームのＸ−−Ｘ方向（図１参照）での指向性すなわち指向方向及び指向範囲（指向地点でのビーム幅）を制御する。
【００３０】
この指向方向及び指向地点でのビーム幅が制御される原理を説明する。各スピーカユニットからは放射状（円形）に伝播するように音声が出力される。この各音声は同時に出力されると、互いに平行に向かって伝播する成分のみが位相が一致して強め合う。そして、この他の方向に伝播する成分は隣接するスピーカユニットＳＰからの音声同士で干渉し合って打ち消される。これによって、スピーカユニットＳＰ１〜ＳＰ８からの合成音声は音声ビームとなる。
この音声ビームは真上に指向するとともに、指向地点でのビーム幅がスピーカユニットＳＰ１−スピーカユニットＳＰ８間の距離と略同幅になる。
【００３１】
これに対して、各スピーカユニットＳＰからの音声が指向地点に同時にかつ所定のビーム幅で到達するようにこの遅延時間Ｄ１〜Ｄ８を設定することで、指向地点に指向方向を制御するとともに、ビーム幅を所定のビーム幅に制御することができる。
【００３２】
ここで、図４、図５及び図６を用いて、本実施形態での音声ビームの指向性（ビーム幅及び指向方向）を説明する。
図４は、図１で示した部屋Ｒにおける音声ビームの伝播を示す図であり、図５は、図４で示す音声ビームの指向方向、指向地点ｐでのビーム幅、及び遅延時間を説明するための図であり、図６は、図４で示す音声ビームが会議出席者ｈ１に伝播した時において、その時に存在する音声ビームの密度を部屋Ｒの上方から見た図である。
【００３３】
図４及び図５に示すように、本実施形態では、反射板４で反射した音声ビームが指向地点ｐである会議出席者ｈ１を含めた領域に向かうように指向方向が制御される。指向地点ｐは、装置本体２の上面のライン延長線（図５の点線）上に存在する。また、指向地点ｐに到達する音声ビームの幅寸法が、図６に示すように、会議出席者ｈ１をカバーする幅寸法ｘになるように制御される。すなわち、この音声ビームが反射板４で反射され、音声ビームが広がりをもって指向地点ｐに幅寸法ｘで到達するよう制御される。このような、音声ビームの指向方向及びビーム幅を実現するために、遅延時間Ｄ１〜Ｄ８が実線矢印で示すような値に設定される（図５参照）。焦点Ｐ´は、反射板４の底面を中心線として、音声ビームの焦点Ｐと線対称の位置にある。音声ビームは、焦点Ｐ´１点に集音するよう、伝播する。
ここで、図４で示す音声ビームが会議出席者ｈ１に伝播した時において、その時に存在する音声ビームの密度は、図６の等高線で表されるような分布となる。この密度は、等高線の内側が最も高く、外側に行くにつれて低くなる。
【００３４】
なお、反射板４で反射した音声ビームがマイク３を通過しないように、後述の相対距離を定め、遅延時間Ｄ１〜Ｄ８を設定する点が重要である（図５参照）。また、通常、音声会議装置は、スピーカアレイから出力されてマイクに帰還されるエコー成分が生じるので、そのエコー成分を除去するためのエコーキャンセラを必要とする。しかし、図４及び図５から分かるように、音声ビームは、スピーカアレイ２０から反射板４に向かって出力され、反射板４で反射されて、マイク３を通過しないように下方に伝播するので、マイク３に帰還されるエコー成分が弱まる。
【００３５】
図３に戻って、Ｄ／Ａコンバータ２３は、遅延部２４の個数だけ設けられている。これらのＤ／Ａコンバータ２３（２３−１〜２３−８）は、それぞれ対応する遅延部２４から遅延時間の付与された受信音声信号が入力される。Ｄ／Ａコンバータ２３−１〜２３−８は入力されたデジタルの受信音声信号をアナログに変換して対応するアンプ２５に入力する。
【００３６】
アンプ２５は、入力した音声信号の信号レベルを増幅する。アンプ２５は、スピーカユニットＳＰ１〜ＳＰ８に対応する個数だけ設けられている。以下、それぞれのアンプ２５を区別する場合には、スピーカユニットＳＰ１〜ＳＰ８のうち対応するものと同様の数字を添え字として付す。
【００３７】
アンプ２５−１〜アンプ２５−８は、遅延部２４−１〜２４−８からＤ／Ａコンバータ２３（２３−１〜２３−８）を介して受信音声信号が入力される。アンプ２５−１〜アンプ２５−８は、入力された受信音声信号の信号レベルを増幅して対応するスピーカユニットＳＰ１〜ＳＰ８に入力する。これによって、スピーカユニットＳＰ１〜ＳＰ８から受信音声信号の音声が放音され、音声会議装置１´からの相手方の話声が放音される。
【００３８】
コントロール部２６は、例えばＣＰＵ（Central Processing Unit）やメモリ等の記憶部、操作部等のユーザインタフェース等を備える。メモリで記憶するプログラムを実行することで、コントロール部２６は例えば音声会議装置１´との間の通話等、装置本体２の各部の動作を制御する。コントロール部２６は、遅延時間Ｄ１〜Ｄ８を算出して遅延部２４−１〜２４−８に設定する。
【００３９】
この遅延時間Ｄ１〜Ｄ８は例えば以下のように算出される。指向地点ｐでの音声ビームの幅寸法ｘ、指向地点ｐから反射板４までの高さ、及び会議出席者ｈ１と音声会議装置１との間の相対距離（図５の点線の長さ）がユーザから操作部を用いて入力される。これら３つの値を用いて、コントロール部２６は遅延時間Ｄ１〜Ｄ８を求める。
なお、コントロール部２６が、指向地点ｐを装置本体２の上面のライン上として、この装置本体２の上面から反射板４までの高さを測定する機能を備えてもよい。例えば、コントロール部２６は測定用の音声をスピーカユニットＳＰのうちいずれか１（例えばスピーカユニットＳＰ８）から出力させる。コントロール部２６はこの出力した音声がマイク３に入力されるまでの時間を測定し、この時間に音速を乗じることで、装置本体２の上面から天井までの高さを測定する（正確には、音速は温度に依存するが、常温で使用されることを想定し、音速を定数として該測定に用いる。）。
【００４０】
ここで、コントロール部２６及び遅延部２４−１〜２４−８が、本発明の「指向性制御手段」に相当する。また、音声会議装置１が、本発明の「スピーカ装置」に相当する。
【００４１】
また、音声会議装置１は、上記構成に加えて、マイクアンプ２８及びＡ／Ｄコンバータ２９を備える。マイクアンプ２８は、接続端子３０に接続されたマイク３からの話声音声信号（送信音声信号）を入力する。マイクアンプ２８は、入力した送信音声信号を増幅してＡ／Ｄコンバータ２９に入力する。Ａ／Ｄコンバータ２９は入力したアナログの送信音声信号をデジタル信号に変換して入出力インタフェース２１に入力する。そして、入出力インタフェース２１−通信ケーブル（図略）を介して、送信音声信号は音声会議装置１´に送信される。
【００４２】
上述したように、本実施形態では、スピーカユニットＳＰ１〜ＳＰ８の放音側が上方に位置するようにスピーカアレイ２０が配設されている。これによって、スピーカアレイ２０から反射板４に向かって出力され、反射板４で反射された音声ビームが下方に向かう。また、この下方に向かう音声ビームが会議出席者ｈ１をカバーするビーム幅で、且つ会議出席者ｈ１の領域に指向するように、遅延時間Ｄ１〜Ｄ８が設定されている。これによって、図６で示すように、音声ビームは会議出席者ｈ１が居る辺りの領域のみに伝播する。このため、会議出席者ｈ１のみを対象として話声を出力することができるという効果を奏する。
また、会議出席者ｈ１に水平方向の音声ビームが出力されると、この音声ビームの出力方向に居る人（例えば不特定者ｈ２）に対する音漏れが生じやすい。本実施形態では、会議出席者ｈ１に対して上方から下方に向かうように音声ビームが出力される。このため、会議出席者ｈ１の周囲（例えば不特定者ｈ２）に対するこのような音漏れを効果的に防止することができるという効果を奏する。
さらに、スピーカシステム１００は反射板４を設けて反射を制御しているので、壁や天井に蛍光灯や装飾品等があっても、音声ビームの焦点Ｐ´が狂わないという効果を奏する。
【００４３】
以下、本発明の第二の実施形態であるスピーカシステムについて説明する。
【００４４】
図７は、本発明の第二の実施形態であるスピーカシステムのシステム構成図であり、図８は、図７で示した部屋Ｒにおける音声ビームの伝播を示す図である。
スピーカシステム２００が図１のスピーカシステム１００と構成において相違する点は、スピーカ装置１が上述の指向性制御を行わない点、反射板４の傾きが異なる点、である。
スピーカシステム２００において、スピーカ装置１は、上述の指向性制御を行わないので、スピーカユニット列（ＳＰ１〜ＳＰ８）から各音声が同時に、つまり同位相で出力される。
なお、スピーカ装置１は、上述の指向性制御を行わないので、上述の遅延部２４−１〜２４−８を備えなくとも構わない。
【００４５】
反射板４は、図７及び図８に示すように、反射板４で反射したスピーカユニット列（ＳＰ１〜ＳＰ８）からの音声ビームが特定のリスナｈ１に向かうように、且つ反射板４で反射した音声ビームがマイク３を通過しないように、スピーカ装置１のスピーカアレイ２０に対し傾斜設置されている。この傾斜角は、リスナが自由に調節できるようにすると良い。
なお、反射板４が、部屋Ｒの天井と音声会議装置１との間に設置されている点は、スピーカシステム１００と同じである。
【００４６】
以上より、この実施形態では、スピーカアレイ２０から反射板４に向かって出力され、反射板４で反射された音声ビームが会議出席者ｈ１に向かう。これによって、図８で示すように、音声ビームは会議出席者ｈ１が居る辺りの領域のみに伝播する。このため、会議出席者ｈ１のみを対象として話声を出力することができるという効果を奏する。また、傾斜させた反射板４を使用するだけで、音声ビームの伝播方向を変えることができるという効果を奏する。
また、会議出席者ｈ１に水平方向の音声ビームが出力されると、この音声ビームの出力方向に居る人（例えば不特定者ｈ２）に対する音漏れが生じやすい。本実施形態では、会議出席者ｈ１に対して上方から下方に向かうように音声ビームが出力される。このため、会議出席者ｈ１の周囲（例えば不特定者ｈ２）に対する音漏れを効果的に防止することができるという効果を奏する。
さらに、スピーカシステム１００は反射板４を設けて反射を制御しているので、壁や天井に蛍光灯や装飾品等があっても、音声ビームの焦点が狂わないという効果を奏する。
また、図８から分かるように、音声ビームは、スピーカアレイ２０から反射板４に向かって出力され、反射板４で反射されて、マイク３を通過しないように下方に伝播するので、マイク３に帰還されるエコー成分が弱まる。
【００４７】
以下、本発明の第三の実施形態であるスピーカシステムについて説明する。
【００４８】
図９は、本発明の第三の実施形態であるスピーカシステムのシステム構成図である。
図９のスピーカシステム３００が図７及び図８のスピーカシステム２００と構成において相違する点は、スピーカ装置１が上述の指向性制御を行う点である。つまり、スピーカシステム３００は、傾斜させた反射板４とスピーカ装置１の遅延部２４−１〜２４−８との両者によって、上述の指向性を制御する。
【００４９】
スピーカシステム３００は、スピーカ装置１の遅延部２４−１〜２４−８によって指向性制御を行うことによって、スピーカシステム２００と比し、会議出席者ｈ１の地点における音声ビームのビーム幅を狭くできるところが特徴である（図８及び図９参照）。
【００５０】
以上より、スピーカシステム３００は、スピーカシステム２００と同様の効果を奏する他、会議出席者ｈ１の周囲（例えば不特定者ｈ２）に対する音漏れを一層効果的に防止することができるという効果を奏する。さらに、会議出席者ｈ１のみを一層対象として話声を出力することができるという効果を奏する。
【００５１】
以下、本発明の第四の実施形態である音声会議装置について説明する。
【００５２】
図１０は、本発明の第四の実施形態である音声会議装置の装置本体の外観を示す斜視図である。
音声会議装置３０１が図２及び図３の音声会議装置１と構成において相違する点は、反射板４と、可動部５と、反射板４及び可動部５を支える支持板６と、を備えた点である。
【００５３】
可動部５は、反射板４をスピーカアレイ２０に対し接離する方向に、且つ該反射板４の端が弧を描くように、可動させる（図１０の矢印の方向参照）。
反射板４を使用して音声ビームを反射させることにより、音声会議装置３０１は、単体で、スピーカシステム１００及びスピーカシステム２００と同様の効果を奏する。
【００５４】
ここで、音声会議装置３０１が、本発明の「スピーカ装置」に相当する。
【図面の簡単な説明】
【００５５】
【図１】本発明の第一の実施形態であるスピーカシステムのシステム構成図
【図２】図１のスピーカシステムを構成する音声会議装置の装置本体の外観を示す斜視図
【図３】図１のスピーカシステムを構成する音声会議装置の構成を概略的に示すブロック図
【図４】図１で示した部屋Ｒにおける音声ビームの伝播を示す図
【図５】図４で示す音声ビームの指向方向、指向地点ｐでのビーム幅、及び遅延時間を説明するための図
【図６】図４で示す音声ビームの伝播を部屋Ｒの上方から見た図
【図７】本発明の第二の実施形態であるスピーカシステムのシステム構成図
【図８】図７で示した部屋Ｒにおける音声ビームの伝播を示す図
【図９】本発明の第三の実施形態であるスピーカシステムのシステム構成図
【図１０】本発明の第四の実施形態である音声会議装置の装置本体の外観を示す斜視図
【符号の説明】
【００５６】
１−音声会議装置（スピーカ装置）
２−装置本体
３−マイク
３a−接続線
４−反射板
５−可動部
６−支持板
２０−スピーカアレイ
２１−入出力インタフェース
２３−Ｄ／Ａコンバータ
２４−遅延部
２５−アンプ
２６−コントロール部
２７−接続端子
２８−マイクアンプ
２９−Ａ／Ｄコンバータ
３０−接続端子
１００−スピーカシステム
２００−スピーカシステム
３００−スピーカシステム
３０１−音声会議装置
Ｄ１〜８−遅延時間
ｈ１，ｈ２−会議出席者
ｐ−指向地点
Ｐ、Ｐ´−焦点
Ｒ−部屋
ＳＰ１〜ＳＰ８−スピーカユニット
ｘ−幅寸法
【図１】
2007096390.tif 000003
【図２】
2007096390.tif 000004
【図３】
2007096390.tif 000005
【図４】
2007096390.tif 000006
【図５】
2007096390.tif 000007
【図６】
2007096390.tif 000008
【図７】
2007096390.tif 000009
【図８】
2007096390.tif 000010
【図９】
2007096390.tif 000011
【図１０】
2007096390.tif 000012